(57)【要約】【課題】多数の六角形パネルが目地溝を設けて配列されたときに、各目地溝の幅が全て同一になるようにした六角形パネル及びこの六角形パネルを多数配列したパネルユニットを提供する。【解決手段】六角形パネルＰは、中心線Ｃに平行な一対の対辺１１，１１と、該対辺１１の各先端から中心線Ｃまで１２０°の角度αをもって画定された二対の斜辺１２，１２；１２，１２とによって周囲が六角形に形成されている。そして、対辺１１の一方の先端と中心Ｏとを結んだ仮想線１３と対辺１１の他方の先端と中心Ｏとを結んだ仮想線１４とのなす角度γが５６．９５°となるように各対辺１１，１１の長さＬ１が設定されている。パネルユニットＵは、前記六角形パネルＰを多数配列したもので、隣り合っている六角形パネルＰの対辺１１と対辺１１との間隔と隣り合っている六角形パネルＰの斜辺１２と斜辺１２との間隔が同一とされている。【選択図】図１
2010127042.tif 000002
【特許請求の範囲】
【請求項１】
中心線に平行な一対の対辺と、該対辺の各先端から中心線まで１２０°の角度をもって画定された二対の斜辺とによって周囲が六角形に形成された六角形パネルであって、
対辺の一方の先端と中心とを結んだ仮想線と対辺の他方の先端と中心とを結んだ仮想線とのなす角度が５６．９５°となるように各対辺の長さが設定されていることを特徴とする六角形パネル。
【請求項２】
精製塩及び／又は天然塩を主成分とする塩が加熱溶融され、請求項１に記載の形状に冷却固化することによって成形されたことを特徴とする六角形パネル。
【請求項３】
正方形又は長方形の一方の平行な外縁と他方の平行な外縁によって画定された周縁の内側に請求項１又は２に記載の六角形パネルが多数配列されたパネルユニットであって、
六角形パネルの対辺が前記一方の外縁と平行に、かつ、隣り合っている六角形パネルの対辺と対辺との間隔と隣り合っている六角形パネルの斜辺と斜辺との間隔とが同一となるように多数の六角形パネルが配列されたことを特徴とするパネルユニット。
【請求項４】
前記各六角形パネルの間に、目地材が充填されていることを特徴とする請求項３に記載のパネルユニット。
【発明の詳細な説明】
【技術分野】
【０００１】
本発明は、例えば、床、壁あるいは天井などに敷き詰められる六角形状の六角形パネル及びこの六角形パネルを多数配列したパネルユニットに関する。
【背景技術】
【０００２】
公園などの路面や壁面においては、種々の形状のタイルが敷設されているが、特許文献１には、連続模様を現出させることのできるモザイクタイル形成用小板が開示されている。このモザイクタイル形成用小板は、小板本体が平面視正六角形その他の正多角形の薄肉板に形成され、この小板本体の表面において、一つおきの角部に連続模様の一部を施し、モザイクタイル形成時に、モザイクタイルに連続模様が形成されるようにしたことを特徴としている。
【０００３】
【特許文献１】特開平６−３０６８０８号公報
【発明の開示】
【発明が解決しようとする課題】
【０００４】
図３に示すように、正六角形のタイルＴは、中心線Ｃに平行な一対の平行な対辺１０１，１０１と、二対の斜辺１０２，１０２；１０２，１０２によって周囲が六角形に形成され、対辺１０１と斜辺１０２とのなす角度α及び斜辺１０２と斜辺１０２とのなす角度βがともに１２０°とされている。また、対辺１０１と斜辺１０２の長さも同一とされている。
【０００５】
このような正六角形のタイルＴは、周囲を密着した状態に多数配列してパネルユニットＵに仕上げることができる。このパネルユニットＵは、図４に示すように、各タイルＴ，Ｔの周囲と周囲との間に間隔、すなわち目地溝１１１，１１２を設ける場合において、この目地溝１１１，１１２の幅を等間隔にすると、正方形のパネルユニットＵを形成することができない。換言すると、正方形のパネルユニットＵ内に目地溝１１１，１１２を設けて多数のタイルＴ，Ｔ，…が配置されると、隣り合っているタイルＴ，Ｔの対辺１０１と対辺１０１の目地溝１１１の幅が斜辺１０２と斜辺１０２の目地溝１１２の幅よりも広くなる。
【０００６】
これは、対辺１０１，１０１同士及び斜辺１０２，１０２同士が接しているタイルＴとタイルＴとを横方向と縦方向とに同一の間隔ｘ（図示せず）で離間させたときに、斜辺１０２と斜辺１０２との間隔、すなわち目地溝１１２の幅は、ｘ・ｃｏｓ３０°となり、対辺１１１と対辺１１１との間隔、すなわち目地溝１１１の幅ｘよりも短くなるからである。このように広い幅の目地溝１１１と狭い幅の目地溝１１２とが形成されると、多数のタイルＴ，Ｔ，…を配置した床、壁あるいは天井は、外観を損ねたものとなる。
【０００７】
そこで、本発明は、多数の六角形タイルのような六角形パネルが間隔を設けて配列されたときに、各間隔の幅が全て同一になるようにした六角形パネル及びこの六角形パネルを多数配列したパネルユニットを提供することを課題とする。
【課題を解決するための手段】
【０００８】
本発明に係る六角形パネルは、中心線に平行な一対の対辺と、該対辺の各先端から中心線まで１２０°の角度をもって画定された二対の斜辺とによって周囲が六角形に形成された六角形パネルであって、対辺の一方の先端と中心とを結んだ仮想線と対辺の他方の先端と中心とを結んだ仮想線とのなす角度が５６．９５°となるように各対辺の長さが設定されていることを特徴としている。
【０００９】
この六角形パネルによれば、対辺の一方の先端と中心とを結んだ仮想線と対辺の他方の先端と中心とを結んだ仮想線とのなす角度が５６．９５°となるように各対辺の長さが設定されていることにより、対辺の長さが斜辺の長さよりも僅かに短く形成され、一対の対辺の間隔が斜辺の間隔よりも僅かに長く形成される。したがって、多数の六角形パネルを正方形又は長方形の外縁内に間隔を空けて配列したときに、隣り合っている六角形パネルの対辺と対辺との間隔と隣り合っている六角形パネルの斜辺と斜辺との間隔とが同一になるように、かつ、外縁の角に六角形パネルの中心を位置させることができる。
【００１０】
また、前記本発明に係る六角形パネルは、精製塩及び／又は天然塩を主成分とする塩が加熱溶融され、前記本発明に係る六角形パネルの形状に冷却固化することによって成形されていることが好ましい。この六角形パネルは、精製塩及び／又は天然塩を主成分とする塩から成形されるため、塩に備えられた遠赤外線効果や殺菌効果、光透過性などを有するものとなり、そして、概して乳白半透明の硬い板状のものとすることができる。
【００１１】
また、本発明に係るパネルユニットは、正方形又は長方形の一方の平行な外縁と他方の平行な外縁によって画定された周縁の内側に前記本発明に係る六角形パネルが多数配列されたパネルユニットであって、六角形パネルの対辺が前記一方の外縁と平行に、かつ、隣り合っている六角形パネルの対辺と対辺との間隔と隣り合っている六角形パネルの斜辺と斜辺との間隔とが同一となるように多数の六角形パネルが配列されたことを特徴としている。
【００１２】
このパネルユニットによれば、正方形又は長方形の周縁の内側に本願発明に係る多数の六角形パネルが配列されることにより、隣り合っている六角形パネルの対辺と対辺との間隔と隣り合っている六角形パネルの斜辺と斜辺との間隔とを同一にすることができる。なお、このパネルユニットによって床、壁及び天井を構成した室を構築することができ、さらに、精製塩及び／又は天然塩を主成分とする微粉末の塩から形成された六角形パネルが使用されることにより、この室を遠赤外線効果や殺菌効果、光透過性などを備えたリラクゼーションルームとすることができる。
【００１３】
また、前記本発明に係るパネルユニットにおいて、前記各六角形パネルの間に、目地材が充填されていることが好ましい。このパネルユニットによれば、各六角形パネルの間に、目地材が充填されていることにより、各六角形パネルが位置ずれしないようにすることができる。なお、六角形パネルが精製塩及び／又は天然塩を主成分とする微粉末の塩から形成されたものであると、目地材も精製塩及び／又は天然塩の微粉末に水を加えて混和した塩ペースト又は精製塩及び／又は天然塩を溶融した塩ペーストを用いることが好ましい。
【発明の効果】
【００１４】
本発明によれば、六角形の対辺の一方の先端と中心とを結んだ仮想線と対辺の他方の先端と中心とを結んだ仮想線とのなす角度が５６．９５°となるように各対辺の長さが設定された六角形パネルが提供されることにより、多数の六角形パネルを、間隔を設けて配列したときに、隣り合っている六角形パネルの対辺と対辺との間隔と斜辺と斜辺との間隔とを同一にすることができるため、多数の六角形パネルを配列したパネルユニットの外観を良好にすることができる。
【発明を実施するための最良の形態】
【００１５】
本発明に係る六角形パネル及びこの六角形パネルを多数配列したパネルユニットの一実施形態について図１及び図２を参照しながら説明する。
【００１６】
この六角形パネルＰは、図１に示すように、中心線Ｃに平行な一対の対辺１１，１１と、この対辺１１，１１の各先端から中心線Ｃまで方へ１２０°の角度αをもって画定された二対の斜辺１２，１２；１２，１２とによって周囲が六角形に形成され、そして、対辺１１の一方の先端と中心Ｏとを結んだ仮想線１３と対辺１１の他方の先端と中心Ｏとを結んだ仮想線１４とのなす角度γが５６．９５°となるように各対辺１１，１１の長さＬ１，Ｌ１が設定されていることを特徴としている。
【００１７】
この六角形パネルＰは、対辺１１の長さＬ１（例えば４４．７ｍｍ）が斜辺１２の長さＬ２（例えば４７．６ｍｍ）よりも僅かに短く形成され、一対の対辺１１，１１の間隔Ｄ１（例えば８２．５ｍｍ）が一対の斜辺１２，１２の間隔Ｄ２（例えば８０．０ｍｍ）よりも僅かに長く形成される。また、この六角形パネルＰは、中心線Ｃの長さ、すなわち一方の一対の斜辺１２，１２の交点と他方の一対の斜辺１２，１２の交点の間隔Ｄ３（例えば９２．４ｍｍ）が一方の対辺１１と斜辺１２の交点と他方の対辺１１と斜辺１２の交点との間隔Ｄ４（例えば９３．８ｍｍ）よりも短く形成される。
【００１８】
そして、この六角形パネルＰは、精製塩及び／又は天然塩からなる塩を主成分とし、この塩に高融点の無機物粉末を含有させた微粉末を、塩の融点以上沸点以下の温度で加熱溶融し、この加熱溶融物を成形型内に流し込んで冷却固化することによって成形される。六角形パネルＰは、塩の微粉末又は塊状物から成形されるが、塩が備えている遠赤外線効果や殺菌効果、光透過性などの効果を奏するものとなり、無機物微粉末を含有することにより、耐圧強度などの機械的強度を優れたものとすることができる。
【００１９】
そして、この塩から成形された六角形パネルＰは、概して乳白半透明で、岩塩のように硬い板体になっている。また、加熱溶融物が成形型内に流し込まれ、冷却固化するときに収縮することにより、六角形パネルＰは、成形型の開放面側に形成される裏面が僅かに凹曲面状に窪む形状とされる。
【００２０】
なお、無機物粉末は、塩の融点が８００．４℃であることから、１０００℃以上の融点を有するもので、さらに、毒性や刺激性、着色性のないもの、例えば、コロイダルシリカのような珪酸粉末、珪酸ナトリウムのような珪酸アルカリ金属塩粉末、アルミナ粉末、珪酸アルミニウム粉末、ジルコニアなどを使用することが好ましい。
【００２１】
また、無機物粉末の配合量は、塩の遠赤外線効果や殺菌効果、光透過性などを損ねず、かつ、機械的強度の向上を図ることができるように、０．００１〜０．１重量％の範囲とすることが好ましい。
【００２２】
この六角形パネルＰを多数配列することにより、パネルユニットＵを形成することができる。このパネルユニットＵは、図２に示すように正方形（図示しないが、長方形であってもよい。）の基盤３０の周縁内に多数の前記六角形パネルＰを配列したもので、隣り合っている六角形パネルＰ，Ｐの対辺１１と対辺１１との間、及び斜辺１２と斜辺１２との間にそれぞれ間隔、すなわち第１の目地溝２１と第２の目地溝２２が設けられ、この第１の目地溝２１の幅と第２の目地溝２２の幅とが同一とされている。
【００２３】
そして、図示したパネルユニットＵは、六角形パネルＰの対辺１１，１１が前記基盤３０の一方（図面において横方向）の外縁３１と平行に配列されている。したがって、各六角形パネルＰは、中心線Ｃを結んだ仮想線（図示せず）が他方（図面において縦方向）の外縁３２と平行になるように配列されている。
【００２４】
そして、パネルユニットＵの一方の平行な２本の外縁３１，３１に沿って、六角形パネルＰの中心線Ｃで二分割に割られた横ハーフ体Ｒと六角形パネルＰとが交互に配列される。横ハーフ体Ｒは、六角形パネルＰにおける中心線Ｃ（図１参照）が一方の外縁３１と一致するように配列され、六角形パネルＰは、対辺１１が外縁３１よりも第１の目地溝２１の半分の幅だけ内側に配列される。
【００２５】
また、他方の平行な２本の外縁３２，３２上には、六角形パネルＰの対辺１１，１１の中点を結ぶラインで二分割された縦ハーフ体Ｓが隣り合わせに配列される。そして、パネルユニットＵの四隅には、六角形パネルＰを四分割した一つであるクオーター体Ｑが配置される。クオーター体Ｑは、直角角部がパネルユニットＵの角と一致するように配置される。
【００２６】
なお、一辺が４４０ｍｍの正方形のパネルユニットＵにおいて、前記のサイズの六角形パネルＰ、この六角形パネルＰを二分割及び四分割した横ハーフ体Ｒ、縦ハーフ体Ｓ及びクオーター体Ｑを配列する場合にあっては、一方の外縁３１上に、２枚の横ハーフ体Ｒ及び２枚のクオーター体Ｑが配列され、一方の２本の外縁３１，３１の間に、多数の六角形パネルＰが千鳥状に配列され、他方の外縁３２上に、４枚の縦ハーフ体Ｓ及び２枚のクオーター体Ｑが配列され、この他方の２本の外縁３２，３２の間に多数の六角形パネルＰ，Ｐ，…が千鳥状に配列される。
【００２７】
このように配列された各六角形パネルＰ、横ハーフ体Ｒ、縦ハーフ体Ｓ、クオーター体Ｑは、隣り合っている対辺１１，１１の間隔及び斜辺１２，１２の間隔、すなわち第１，第２の目地溝２１，２２の幅がどこも同じとされている。すなわち、この六角形パネルＰは、一対の斜辺１２，１２の間隔Ｄ２と中心線Ｃの長さすなわち距離Ｄ３とが正六角形と同じであるにもかかわらず、対辺１１の長さＬ１が正六角形よりも僅かに短く、一対の対辺１１，１１の間隔Ｄ１が正六角形よりも僅かに長いことから、正六角形のパネルを配列した場合よりも第１の目地溝２１の幅が狭く、第２の目地溝２２の幅が広くなり、結果として、第１，第２の目地溝２１，２２の幅がともに同じとし、正方形のパネルユニットＵの角にクオーター体Ｑの直角角部が位置するように配置することができる。
【００２８】
そして、各六角形パネルＰ、横ハーフ体Ｒ、縦ハーフ体Ｓ、クオーター体Ｑは、基盤３０に接着剤（図示せず）によって固定され、目地溝２１，２２内に目地材（採番せず）が充填されることによって、パネルユニットＵが形成される。六角形パネルＰの裏面が凹曲面状に窪む形状とされていることにより、接着剤が滑ることなく安定して六角形パネルＰを接着することができる。ただし、接着剤に換え、六角形の枠又は複数の爪を有するホルダー（図示せず）に六角形パネルＰを嵌め込むことにより、六角形パネルＰを固定することもできる。
【００２９】
また、目地材としては、例えば、精製塩及び／又は天然塩の微粉末に水を加えて混和した塩ペースト又は精製塩及び／又は天然塩を溶融した塩ペーストを用いることが好ましく、この塩ペーストは、目地溝に充填された後、乾燥することによって固化する。この目地材によって、間隔を設けて隣り合っている各六角形パネルＰ、横ハーフ体Ｒ、縦ハーフ体Ｓ、クオーター体Ｑ同士が、位置ずれしないようにすることができる。
【００３０】
このようなパネルユニットＵは、多数配列されることにより、床、壁及び天井を構成する室に構築することができる。パネルユニットＵは、一方の外縁３１に沿って横ハーフ体Ｒが配列され、他方の外縁３２上に縦ハーフ体Ｓが配列されているため、各パネルユニットＵは、この横ハーフ体Ｒと縦ハーフ体Ｓが連続するように配列される。
【００３１】
したがって、このパネルユニットＵによって構築された室内の床、壁及び天井は、六角形に区画された模様を呈するものとなる。また、第１，第２の目地溝２１，２２がいずれも同一の幅とされることにより、外観が良好になり、さらに、各六角形パネルＰの対辺１１，１１及び斜辺１２，１２には、荷重が均等に掛けられる。また、この室の外側周囲にヒータや光源、音響設備の全て又は一部を配備することにより、室をリラクゼーションルームとしてすることができる。
【００３２】
なお、本発明は、前記実施の形態に限定することなく、種々変更することができる。例えば、六角形パネルＰは、リラクゼーションルーム用として使用しなくてもよく、この場合は、微粉末の塩を主成分とすることなく、通常のタイルやレンガなどを製造する材料によって形成してもよい。
【００３３】
また、パネルユニットＵは、横ハーフ体Ｒ、縦ハーフ体Ｓ、クオーター体Ｑによって、六角形パネルＰが外縁３１，３２から突出しないようにするのではなく、横ハーフ体Ｒ、縦ハーフ体Ｓ、クオーター体Ｑを配列することなく、六角形パネルＰを一つおき、すなわち交互に突出させるように配列してもよいし、一方の外縁３１，３２から六角形パネルＰを突出させ、他方の外縁３２，３１から六角形パネルＰを後退させて配列してもよい。
【図面の簡単な説明】
【００３４】
【図１】本発明に係る六角形パネルの一実施形態を示す正面図である。
【図２】本発明に係るパネルユニットの一実施形態を示す正面図である。
【図３】従来の六角形パネルを示す正面図である。
【図４】従来の六角形パネルを使用したパネルユニットを示す正面図である。
【符号の説明】
【００３５】
１１……対辺
１２……斜辺
１３……仮想線
１４……仮想線
３１……一方の外縁
３２……他方の外縁
Ｃ………中心線
Ｏ………中心
Ｐ………六角形パネル
Ｕ………パネルユニット
α………対辺の先端からの角度
γ………仮想線と仮想線とのなす角度
Ｌ１……対辺の長さ
【図１】
2010127042.tif 000003
【図２】
2010127042.tif 000004
【図３】
2010127042.tif 000005
【図４】
2010127042.tif 000006